(57)【特許請求の範囲】
【請求項１】
段ボールシートを折り曲げて略直方体状に成型した包装用箱であって、
隣接する一対の平面部の境界に形成される少なくとも一つの角部に、前記角部の延在方向に沿って直線状に延びる直線状折線と、前記直線状折線から二分岐して前記一対の平面部に対して傾斜する面取り部を形成する分岐折線と、が形成されており、
前記面取り部に、前記直線状折線の延長線上に延びる折曲用切込みが形成されている、
包装用箱。
【請求項２】
前記折曲用切込みが、破線状に形成されている、
請求項１に記載の包装用箱。
【請求項３】
前記折曲用切込みの長さが、前記面取り部の全長に対する３０％以上である、
請求項１又は２に記載の包装用箱。
【請求項４】
前記折曲用切込みが、前記直線状折線に対して離間している、
請求項１〜３の何れか一項に記載の包装用箱。
【請求項５】
前記段ボールシートが、前記包装用箱の表面側に配置される表ライナーと、前記包装用箱の裏面側に配置される裏ライナーと、前記表ライナーと前記裏ライナーとの間に挟み込まれた中芯と、を備えており、
前記折曲用切込みが、前記表ライナーを貫通することなく前記裏ライナーを貫通している、
請求項１〜４の何れか一項に記載の包装用箱。
【請求項６】
前記面取り部が、一つの前記角部に複数箇所形成されている、
請求項１〜５の何れか一項に記載の包装用箱。
【請求項７】
長方形の対向する天面部及び底面部と、前記天面部及び前記底面部の長辺部に隣接される長手側面部と、前記天面部及び前記底面部の短辺部に隣接される短手側面部と、を備えており、
前記面取り部が、前記天面部及び前記底面部と前記長手側面部及び前記短手側面部とにより形成される少なくとも一つの角部に形成されている、
請求項１〜６の何れか一項に記載の包装用箱。
【請求項８】
折り曲げて略直方体状の包装用箱を成型するための段ボールシートであって、
前記包装用箱を成型した際に隣接する一対の平面部の境界に、前記境界の延在方向に沿って直線状に延びる直線状罫線と、前記直線状罫線から二分岐して前記一対の平面部に対して傾斜する面取り部を形成するための分岐罫線と、が形成されており、
前記面取り部に、前記直線状罫線の延長線上に延びる折曲用切込みが形成されている、
段ボールシート。
【発明の詳細な説明】
【技術分野】
【０００１】
本発明は、段ボールシートを折り曲げて略直方体状に成型した包装用箱及びこの包装用箱を成型する段ボールシートに関する。
【背景技術】
【０００２】
一般に、ビールなどの缶飲料を包装するために、段ボールシートを折り曲げて直方体状に成型した包装用箱が用いられている。ところが、このような包装用箱は、積み上げると上下間の隙間が無くなるため、持ち上げ難いという問題があった。
【０００３】
そこで、近年、底面部及び天面部と側面部との境界に形成される角部に面取り部を形成したものが開発された（特許文献１参照）。このように角部に面取り部を形成すると、積み上げられた包装用箱の間に手を入れることができるため、包装用箱を持ち上げ易くなる。更に、作業者が包装用箱を持ち上げた際に作業者の体に当たる部分が面取り部となるため、作業者に対して優しい形状になる。しかも、側方からの視認領域が増えるため、面取り部にキャッチコピーなどを付すことで、デザインのバリエーションや宣伝効果も期待することができる。
【先行技術文献】
【特許文献】
【０００４】
【特許文献１】意匠登録第１４２８５３２号公報
【発明の概要】
【発明が解決しようとする課題】
【０００５】
ところで、包装用箱は、折り畳んでコンパクトにした状態で廃棄される。しかしながら、角部に面取り部が形成された包装用箱を折り畳むと、面取り部が天面部、底面部及び側面部に対して垂直に立ち上がるため、嵩張ってしまう。面取り部を折り曲げることは不可能ではないが、かなり大きな力を加えないと面取り部を折り曲げることができない。
【０００６】
そこで、本発明は、面取り部を容易に折り曲げることができる包装用箱及びこの包装用箱を成型する段ボールシートを提供することを目的とする。
【課題を解決するための手段】
【０００７】
本発明に係る包装用箱は、段ボールシートを折り曲げて略直方体状に成型した包装用箱であって、隣接する一対の平面部の境界に形成される少なくとも一つの角部に、角部の延在方向に沿って直線状に延びる直線状折線と、直線状折線から二分岐して一対の平面部に対して傾斜する面取り部を形成する分岐折線と、が形成されており、面取り部に、直線状折線の延長線上に延びる折曲用切込みが形成されている。
【０００８】
本発明に係る包装用箱によれば、面取り部に、直線状折線の延長線上に延びる折曲用切込みが形成されているため、直線状折線を折り曲げる力によって、面取り部を直線状折線の延長線上で折り曲げることができる。これにより、面取り部を容易に折り曲げることができる。
【０００９】
また、本発明に係る包装用箱は、折曲用切込みが、破線状に形成されているものとすることができる。このように、折曲用切込みを破線状に形成することで、面取り部の折り曲げ容易性を確保しつつ、折曲用切込みの破断強度を確保することができる。これにより、包装用箱の成型時および包装用箱の使用時に面取り部が折れ曲がるのを防止することができる。
【００１０】
また、本発明に係る包装用箱は、折曲用切込みの長さが、面取り部の全長に対する３０％以上であるものとすることができる。このように、折曲用切込みの長さを面取り部の全長に対する３０％以上とすることで、面取り部の折り曲げ容易性を確保することができる。
【００１１】
また、本発明に係る包装用箱は、折曲用切込みが、直線状折線に対して離間しているものとすることができる。このように、折曲用切込みを直線状折線に対して離間させることで、面取り部の折り曲げ容易性を確保しつつ、折曲用切込みの破断強度を確保することができる。
【００１２】
また、本発明に係る包装用箱は、段ボールシートが、包装用箱の表面側に配置される表ライナーと、包装用箱の裏面側に配置される裏ライナーと、表ライナーと裏ライナーとの間に挟み込まれた中芯と、を備えており、折曲用切込みが、表ライナーを貫通することなく裏ライナーを貫通しているものとすることができる。このように、表ライナーに折曲用切込みを貫通させないことで、包装用箱の外側から折曲用切込みを隠すことができるため、面取り部におけるデザイン性が低下するのを防止することができる。
【００１３】
また、本発明に係る包装用箱は、面取り部が、一つの角部に複数箇所形成されているものとすることができる。このように、複数の面取り部を角部に形成することで、包装用箱の剛性を高めつつ、デザインの自由度を広げることができる。
【００１４】
また、本発明に係る包装用箱は、長方形の対向する天面部及び底面部と、天面部及び底面部の長辺部に隣接される長手側面部と、天面部及び底面部の短辺部に隣接される短手側面部と、を備えており、面取り部が、天面部及び底面部と長手側面部及び短手側面部とにより形成される少なくとも一つの角部に形成されているものとすることができる。このように、天面部及び底面部と長手側面部及び短手側面部とにより形成される少なくとも一つの角部に面取り部を形成することで、平積みした包装用箱の持ち上げ容易性を向上させることができる。
【００１５】
本発明に係る段ボールシートは、折り曲げて略直方体状の包装用箱を成型するための段ボールシートであって、包装用箱を成型した際に隣接する一対の平面部の境界に、境界の延在方向に沿って直線状に延びる直線状罫線と、直線状罫線から二分岐して一対の平面部に対して傾斜する面取り部を形成するための分岐罫線と、が形成されており、面取り部に、直線状罫線の延長線上に延びる折曲用切込みが形成されている。
【００１６】
本発明に係る段ボールシートによれば、折り曲げて略直方体状の包装用箱を成型することで、直線状罫線から分岐された分岐罫線により、一対の平面部に対して傾斜する面取り部を形成することができる。そして、この面取り部に、直線状罫線の延長線上に延びる折曲用切込みが形成されているため、直線状罫線を折り曲げる力によって、面取り部を直線状罫線の延長線上で折り曲げることができる。これにより、包装用箱を成型した後に、面取り部を容易に折り曲げることができる。
【発明の効果】
【００１７】
本発明によれば、面取り部を容易に折り曲げることができる包装用箱を提供することできる。
【図面の簡単な説明】
【００１８】
【図１】包装用箱を前側上方から見た斜視図である。
【図２】包装用箱を後側下方から見た斜視図である。
【図３】包装用箱の表面側を示す一部拡大図である。
【図４】包装用箱の表面側を示す一部拡大図である。
【図５】包装用箱の表面側を示す一部拡大図である。
【図６】図５に示すＶＩ−ＶＩ線における断面拡大図である。
【図７】段ボールシートの表面側を示す展開図である。
【図８】段ボールシートの裏面側を示す展開図である。
【図９】段ボールシートの表面側を示す一部拡大図である。
【図１０】段ボールシートの表面側を示す一部拡大図である。
【図１１】段ボールシートの裏面側を示す一部拡大図である。
【図１２】分岐折線の他の例を示す一部拡大図である。
【図１３】分岐折線の他の例を示す一部拡大図である。
【図１４】面取り部の他の例を示す一部拡大図である。
【図１５】実施例における角部の構成を示す図である。
【図１６】実施例における実験結果を示す図である。
【発明を実施するための形態】
【００１９】
以下、図面を参照して、本発明に係る包装用箱及びこの包装用箱を成型する段ボールシートの好適な実施形態について詳細に説明する。なお、全図中、同一又は相当部分には同一符号を付すこととする。
【００２０】
図１は、包装用箱を前側上方から見た斜視図である。図２は、包装用箱を後側下方から見た斜視図である。図１及び図２に示すように、実施形態に係る包装用箱１は、缶ビールなどの缶飲料を例えば２４本の詰める箱であり、段ボールシートを折り曲げて略直方体状に成型されている。
【００２１】
包装用箱１は、形成されて互いに対向する長方形の天面部Ａ１及び底面部Ａ２と、天面部Ａ１及び底面部Ａ２の長辺部に隣接されて互いに対向する長方形の長手側面部Ａ３及び長手側面部Ａ４と、天面部Ａ１及び底面部Ａ２の短辺部に隣接されて互いに対向する長方形の短手側面部Ａ５及び短手側面部Ａ６と、の６枚の平面部を備えている。なお、以下の説明において、特に言及して区別する場合を除き、天面部Ａ１、底面部Ａ２、長手側面部Ａ３、長手側面部Ａ４、短手側面部Ａ５及び短手側面部Ａ５を単に平面部Ａと表記する。
【００２２】
この包装用箱１には、隣接する３枚の平面部Ａにより、８個の頂部Ｂ１〜Ｂ８が形成されている。すなわち、頂部Ｂ１は、天面部Ａ１、長手側面部Ａ３及び短手側面部Ａ５により形成されている。頂部Ｂ２は、天面部Ａ１、長手側面部Ａ３及び短手側面部Ａ６により形成されている。頂部Ｂ３は、天面部Ａ１、長手側面部Ａ４及び短手側面部Ａ６により形成されている。頂部Ｂ４は、天面部Ａ１、長手側面部Ａ４及び短手側面部Ａ５により形成されている。頂部Ｂ５は、底面部Ａ２、長手側面部Ａ３及び短手側面部Ａ５により形成されている。頂部Ｂ６は、底面部Ａ２、長手側面部Ａ３及び短手側面部Ａ６により形成されている。頂部Ｂ７は、底面部Ａ２、長手側面部Ａ４及び短手側面部Ａ６により形成されている。頂部Ｂ８は、底面部Ａ２、長手側面部Ａ４及び短手側面部Ａ５により形成されている。なお、以下の説明において、特に言及して区別する場合を除き、頂部Ｂ１〜Ｂ８を単に頂部Ｂと表記する。
【００２３】
また、包装用箱１には、隣接する一対の平面部Ａの境界に、隣接する一対の頂部Ｂの間に延在する１２本の角部Ｃ１〜１２が形成されている。すなわち、角部Ｃ１は、天面部Ａ１と長手側面部Ａ３との境界に形成されており、頂部Ｂ１と頂部Ｂ２との間に延在している。角部Ｃ２は、天面部Ａ１と短手側面部Ａ６との境界に形成されており、頂部Ｂ２と頂部Ｂ３との間に延在している。角部Ｃ３は、天面部Ａ１と長手側面部Ａ４との境界に形成されており、頂部Ｂ３と頂部Ｂ４との間に延在している。角部Ｃ４は、天面部Ａ１と短手側面部Ａ５との境界に形成されており、頂部Ｂ４と頂部Ｂ１との間に延在している。角部Ｃ５は、底面部Ａ２と長手側面部Ａ３との境界に形成されており、頂部Ｂ５と頂部Ｂ６との間に延在している。角部Ｃ６は、底面部Ａ２と短手側面部Ａ６とにより形成されており、頂部Ｂ６と頂部Ｂ７との間に延在している。角部Ｃ７は、底面部Ａ２と長手側面部Ａ４との境界に形成されており、頂部Ｂ７と頂部Ｂ８との間に延びている。角部Ｃ８は、底面部Ａ２と短手側面部Ａ５との境界に形成されており、頂部Ｂ８と頂部Ｂ５との間に延在している。角部Ｃ９は、短手側面部Ａ５と長手側面部Ａ３との境界に形成されており、頂部Ｂ１と頂部Ｂ５との間に延在している。角部Ｃ１０は、長手側面部Ａ３と短手側面部Ａ６との境界に形成されており、頂部Ｂ２と頂部Ｂ６との間に延在している。角部Ｃ１１は、短手側面部Ａ６と長手側面部Ａ４との境界に形成されており、頂部Ｂ３と頂部Ｂ７との間に延在している。角部Ｃ１２は、長手側面部Ａ４と短手側面部Ａ５との境界に形成されており、頂部Ｂ４と頂部Ｂ８との間に延在している。なお、以下の説明において、特に言及して区別する場合を除き、角部Ｃ１〜Ｃ１２を単に角部Ｃと表記する。
【００２４】
図３及び図４は、包装用箱の表面側を示す一部拡大図である。図３及び図４に示すように、角部Ｃ１〜Ｃ１２は、隣接する一対の平面部Ａの境界に形成されており、隣接する頂部Ｂの間に延在している。そして、図３に示すように、角部Ｃ９〜Ｃ１２には、隣接する頂部Ｂの間を直線状に延びる１本の直線状折線２１のみが形成されている。一方、図４に示すように、角部Ｃ１〜Ｃ８には、隣接する頂部Ｂの間を直線状に延びる直線状折線３１と、直線状折線３１から二分岐して隣接する一対の平面部Ａに対して傾斜する面取り部３３を形成する分岐折線３２と、が形成されている。
【００２５】
直線状折線３１は、間欠的に複数本形成されており、分岐折線３２は、間欠的に形成された直線状折線３１の間に形成されている。分岐折線３２は、直線状折線３１から分岐する２本の折線で形成されている。分岐折線３２の両側の端部は、両隣の直線状折線３１から互いに離間する方向に向けて二分岐しており、分岐折線３２の中央部は、互いに平行に延びている。面取り部３３は、直線状折線３１に対して包装用箱１の内側に窪んでおり、隣接される一対の平面部Ａに対して約４５度傾斜した傾斜面となっている。なお、分岐折線３２の端部と中央部との間には、角部Ｃの延在方向と直交する方向に延びる折線が形成されている。
【００２６】
図５は、包装用箱の表面側を示す一部拡大図である。図５に示すように、角部Ｃ１，Ｃ３に形成される面取り部３３には、包装用箱１の裏面側に、直線状折線３１の延長線上に延びる折曲用切込み３４が形成されている。折曲用切込み３４は、面取り部３３を直線状折線３１の延長線上で折り曲げるためのものである。
【００２７】
折曲用切込み３４の線形状は、特に限定されるものではないが、折曲用切込み３４の破断強度を確保する観点から、ミシン目のように直線状折線３１の延長線に沿って断続的に延びる破線状に形成されていることが好ましい。
【００２８】
折曲用切込み３４の長さは、特に限定されるものではないが、面取り部３３の折り曲げ容易性を確保する観点から、直線状折線３１と平行な方向における面取り部３３の全長に対する３０％以上であることが好ましく、４０％以上であることが更に好ましく、５０％以上であることが更に好ましい。
【００２９】
また、折曲用切込み３４は、両隣の直線状折線３１と接続されていてもよいが、折曲用切込み３４の破断強度を確保する観点から、両隣の直線状折線３１に対して離間していることが好ましい。折曲用切込み３４と両隣の直線状折線３１との離間距離は、１０ｍｍ以上であることが好ましく、２０ｍｍ以上であることが更に好ましく、３０ｍｍ以上であることが更に好ましい。また、折曲用切込み３４と両隣の直線状折線３１との離間距離は、１１０ｍｍ以下であることが好ましく、１００ｍｍ以下であることが更に好ましく、９０ｍｍ以下であることが更に好ましい。
【００３０】
図６は、図５に示すＶＩ−ＶＩ線における断面拡大図である。図６に示すように、包装用箱１を形成する段ボールシート１０１は、包装用箱１の表面側に配置される表ライナー１０１ａと、包装用箱１の裏面側に配置される裏ライナー１０１ｂと、表ライナー１０１ａと裏ライナー１０１ｂとの間に挟み込まれて波状に湾曲された中芯１０１ｃと、を備えている。そして、折曲用切込み３４は、表ライナー１０１ａを貫通することなく、裏ライナー１０１ｂのみ、又は、裏ライナー１０１ｂ及び中芯１０１ｃのみを貫通している。この場合、折曲用切込み３４は、表ライナー１０１ａを貫通しない程度に表ライナー１０１ａの裏面側に切込みを入れたものであってもよい。
【００３１】
次に、このような包装用箱１を成型するための段ボールシートについて説明する。
【００３２】
図７は、段ボールシートの表面側を示す展開図である。図８は、段ボールシートの裏面側を示す展開図である。図６及び図７に示すように、段ボールシート１０１は、包装用の板紙であり、上述したように、表面側に配置される表ライナー１０１ａと、裏面側に配置される裏ライナー１０１ｂと、表ライナー１０１ａと裏ライナー１０１ｂとの間に挟み込まれて波状に湾曲された中芯１０１ｃと、を備えている（図６参照）。
【００３３】
段ボールシート１０１は、包装用箱１の天面部Ａ１となる天面部Ｄ１と、包装用箱１の底面部Ａ２となる天面部Ｄ２と、包装用箱１の長手側面部Ａ３となる長手側面部Ｄ３と、包装用箱１の長手側面部Ａ４となる長手側面部Ｄ４と、包装用箱１の短手側面部Ａ５となる短手側面部フラップＤ５ａ、短手側面部フラップＤ５ｂ、短手側面部フラップＤ５ｃ及び短手側面部フラップＤ５ｄと、包装用箱１の短手側面部Ａ６となる短手側面部フラップＤ６ａ、短手側面部フラップＤ６ｂ、短手側面部フラップＤ６ｃ及び短手側面部フラップＤ６ｄと、長手側面部Ｄ４と底面部Ｄ２とを接合する接合部Ｄ７と、を備えている。なお、以下の説明において、特に言及して区別する場合を除き、天面部Ｄ１、底面部Ｄ２、長手側面部Ｄ３、長手側面部Ｄ４、短手側面部フラップＤ５ａ〜Ｄ５ｄ、短手側面部フラップＤ６ａ〜Ｄ６ｄ及び接合部Ｄ７を単に平面部Ｄと表記する。
【００３４】
また、段ボールシート１０１は、天面部Ｄ１の両側の長辺部に長手側面部Ｄ３及び長手側面部Ｄ４が接続されており、長手側面部Ｄ３の天面部Ｄ１とは逆の長辺部に底面部Ｄ２が接続されており、長手側面部Ｄ４の天面部Ｄ１とは逆の長辺部に接合部Ｄ７が接続されており、天面部Ｄ１の両側の短辺部に短手側面部フラップＤ５ａ及び短手側面部フラップＤ６ａが接続されており、底面部Ｄ２の両側の短辺部に短手側面部フラップＤ５ｂ及び短手側面部フラップＤ６ｂが接続されており、長手側面部Ｄ３の両側の短辺部に短手側面部フラップＤ５ｃ及び短手側面部フラップＤ６ｃが接続されており、長手側面部Ｄ４の両側の短辺部に短手側面部フラップＤ５ｄ及び短手側面部フラップＤ６ｄが接続されている。
【００３５】
このように構成される段ボールシート１０１には、段ボールシート１０１を折り曲げて略直方体状に成型し易くするための罫線Ｅ１〜Ｅ１２が形成されている。罫線Ｅ１は、包装用箱１の角部Ｃ１を形成するための罫線であり、天面部Ｄ１と長手側面部Ｄ３との境界に形成されている。罫線Ｅ２は、包装用箱１の角部Ｃ２を形成するための罫線であり、角部Ｃ１を形成するための罫線であり、天面部Ｄ１と短手側面部フラップＤ６ａとの境界に形成されている。罫線Ｅ３は、包装用箱１の角部Ｃ３を形成するための罫線であり、天面部Ｄ１と長手側面部Ｄ４との境界に形成されている。罫線Ｅ４は、包装用箱１の角部Ｃ４を形成するための罫線であり、天面部Ｄ１と短手側面部フラップＤ５ａとの境界に形成されている。罫線Ｅ５は、包装用箱１の角部Ｃ５を形成するための罫線であり、底面部Ｄ２と長手側面部Ｄ３との境界に形成されている。罫線Ｅ６は、包装用箱１の角部Ｃ６を形成するための罫線であり、底面部Ｄ２と短手側面部フラップＤ６ｂとの境界に形成されている。罫線Ｅ７は、包装用箱１の角部Ｃ７を形成するための罫線であり、接合部Ｄ７と長手側面部Ｄ４との境界に形成されている。罫線Ｅ８は、包装用箱１の角部Ｃ８を形成するための罫線であり、底面部Ｄ２と短手側面部フラップＤ５ｂとの境界に形成されている。罫線Ｅ９は、包装用箱１の角部Ｃ９を形成するための罫線であり、長手側面部Ｄ３と短手側面部フラップＤ５ｃとの境界に形成されている。罫線Ｅ１０は、包装用箱１の角部Ｃ１０を形成するための罫線であり、長手側面部Ｄ３と短手側面部フラップＤ６ｃとの境界に形成されている。罫線Ｅ１１は、包装用箱１の角部Ｃ１１を形成するための罫線であり、長手側面部Ｄ４と短手側面部フラップＤ６ｄとの境界に形成されている。罫線Ｅ１２は、包装用箱１の角部Ｃ１２を形成するための罫線であり、長手側面部Ｄ４と短手側面部フラップＤ５ｄとの境界に形成されている。なお、以下の説明において、特に言及して区別する場合を除き、罫線Ｅ１〜Ｅ１２を単に罫線Ｅと表記する。
【００３６】
図９及び図１０は、段ボールシートの表面側を示す一部拡大図である。図９に示すように、罫線Ｅ９〜Ｅ１２には、包装用箱１の角部Ｃ９〜Ｃ１２に形成された直線状折線２１に対応して直線状に延びる１本の直線状罫線１２１のみが形成されている。一方、図１０に示すように、罫線Ｅ１〜８には、包装用箱１の角部Ｃ１〜Ｃ８に形成された直線状折線３１及び分岐折線３２に対応して、直線状に延びる直線状罫線１３１と、直線状罫線１３１から二分岐する分岐罫線１３２と、が形成されており、分岐罫線１３２により、包装用箱１の面取り部３３となる面取り部形成領域１３３が画成されている。
【００３７】
図１１は、段ボールシートの裏面側を示す一部拡大図である。図１１に示すように、罫線Ｅ１、Ｅ３に形成される面取り部形成領域１３３には、段ボールシート１０１の裏側に、直線状罫線１３１の延長線上に延びる折曲用切込み３４が形成されている。なお、この折曲用切込み３４は、包装用箱１に形成される折曲用切込み３４と同一である。
【００３８】
次に、包装用箱１の成型方法を説明する。
【００３９】
まず、段ボールシート１０１を各罫線Ｅに沿って折り曲げる。次に、底面部Ｄ２の表面に接合部Ｄ７を接合して、包装用箱１の天面部Ａ１、底面部Ａ２、長手側面部Ａ３及び長手側面部Ａ４を形成する。また、短手側面部フラップＤ５ｃ，Ｄ５ｄの表面に短手側面部フラップＤ５ａ，Ｄ５ｂを接合して、包装用箱１の短手側面部Ａ５を形成する。
【００４０】
そして、内部に缶飲料を詰めた後、短手側面部フラップＤ６ｃ，Ｄ６ｄの表面に短手側面部フラップＤ６ａ，Ｄ６ｂを接合して、包装用箱１の短手側面部Ａ６を形成する。これにより、包装用箱１の成型が終了する。
【００４１】
次に、包装用箱１の折り畳み方法を説明する。
【００４２】
まず、包装用箱１を展開する。このとき、包装用箱１の成型時に接合した部分を引き剥がすことで包装用箱１を展開してもよく、包装用箱１に展開用切込み（不図示）が形成されている場合は、この展開用切込みを破断することで包装用箱１を展開してもよい。
【００４３】
そして、展開された包装用箱１を、折曲用切込み３４が形成されている角部Ｃ１又は角部Ｃ３を折り曲げる。すると、角部Ｃ１又は角部Ｃ３は、直線状折線３１及び分岐折線３２に沿って折れ曲がる。このとき、面取り部３３に直線状折線３１の延長線上に延びる折曲用切込み３４が形成されているため、直線状折線３１を折り曲げる力によって、面取り部３３も折曲用切込み３４に沿って折れ曲がる。
【００４４】
このように、本実施形態によれば、面取り部３３に折曲用切込み３４を形成することで、面取り部３３も平面部Ａと同様に容易に折り曲げることができるため、包装用箱１を嵩張らせることなくコンパクトに折り畳むことができる。
【００４５】
また、折曲用切込み３４を破線状に形成することで、面取り部３３の折り曲げ容易性を確保しつつ、折曲用切込み３４の破断強度を確保することができる。これにより、包装用箱１の成型時および包装用箱１の使用時に面取り部３３が折れ曲がるのを防止することができる。
【００４６】
また、折曲用切込み３４の長さを面取り部３３の全長に対する３０％以上とすることで、面取り部の折り曲げ容易性を確保することができる。
【００４７】
また、折曲用切込み３４を直線状折線３１に対して離間させることで、面取り部３３の折り曲げ容易性を確保しつつ、折曲用切込み３４の破断強度を確保することができる。
【００４８】
また、表ライナー１０１ａに折曲用切込み３４を貫通させないことで、包装用箱１の外側から折曲用切込み３４を隠すことができるため、面取り部３３におけるデザイン性が低下するのを防止することができる。
【００４９】
また、角部Ｃ１〜Ｃ８に面取り部を形成することで、平積みした包装用箱の持ち上げ容易性を向上させることができる。
【００５０】
以上、本発明の好適な実施形態について説明したが、本発明は上記実施形態に限定されるものではない。
【００５１】
例えば、上記実施形態において、屈曲用切込み３４は、表ライナー１０１ａを貫通しないものとして説明したが、屈曲用切込み３４は、表ライナー１０１ａを貫通してもよく、また、表ライナー１０１ａを貫通しない程度に表ライナー１０１ａの裏面側に切込みを入れたものとしてもよい。
【００５２】
また、上記実施形態において、分岐折線３２の中央部は、互いに平行に延びるものとして説明したが、分岐折線３２の中央部は、必ずしも平行に延びる必要はない。例えば、図１２に示すように、分岐折線３２ａを円弧状に湾曲させてもよく、図１３に示すように、分岐折線３２ｂを三角形状に屈曲させてもよい。
【００５３】
また、上記実施形態において、一つの角部Ｃに形成される面取り部３３の数は特に言及しなかったが、面取り部３３は、一つの角部Ｃに一箇所のみ形成されてもよく、図１４に示すように、一つの角部Ｃに複数箇所（図１４では３箇所）形成されてもよい。
【００５４】
また、上記実施形態において、折曲用切込み３４が形成されるのは角部Ｃ１，Ｃ２のみであるものとして説明したが、全ての角部Ｃのうち任意の一部の角部Ｃにのみ折曲用切込み３４を形成してもよく、全ての角部Ｃに折曲用切込み３４を形成してもよい。
【実施例】
【００５５】
次に、図１５を参照して、本発明の実施例について説明する。なお、本発明は以下の実施例に限定されるものではない。
【００５６】
（比較例１）
比較例１として、段ボールシートを５枚用意した。各段ボールシートには、直列的に離間した直線状罫線と、各直線状罫線から二分岐して面取り部形成領域を画成する分岐罫線を形成した。分岐罫線は、各直線状罫線に連結されて、各直線状罫線から互いに離間する方向に向けて直線状に分岐する一対の端部と、この一対の端部に連結されて互いに平行に直線状に延びる中央部と、を有する形状とした。直線状罫線の全長を４５ｍｍとし、分岐罫線の全長を３０９ｍｍとし、各端部の長さを２５ｍｍとし、中央部の長さを２５９ｍｍとした。面取り部形成領域には折曲用切込みを入れなかった。比較例１の罫線の状態を図１５の（ａ）に示す。
【００５７】
比較例１のサンプルを罫線に沿って折り曲げることで包装用箱に成型する成型工程を行い、成型工程における折曲用切込みの折れ曲がり状態を観察した。折曲用切込みの折れ曲がりが確認されなかったものを○とし、折曲用切込みの折れ曲がりが確認されたものを×とした。実験結果を図１６に示す。
【００５８】
その後、包装用箱を展開して角部を折り曲げる折畳工程を行い、折畳工程における面取り部の折れ曲がり状況を観察した。容易に面取り部を折り畳むことができたものを○とし、容易ではないが面取り部を折り畳むことができたものを△とし、面取り部を折り畳むことができなかったものを×とした。実験結果を図１６に示す。
【００５９】
（実施例１）
実施例１として、段ボールシートを５枚用意し、各段ボールシートに比較例１と同じ直線状罫線及び分岐罫線を形成し、面取り部形成領域に折曲用切込みを入れた。折曲用切込みは、破線状とした。直線状罫線と折曲用切込みとの離間距離を端部の長さと同じ２５ｍｍとし、中央部の全長に渡って折曲用切込みを入れた。分岐罫線（分岐折線）の全長に対する折曲用切込みの長さの割合は８４％であり、中央部の全長に対する折曲用切込みの長さの割合は１００％であった。実施例１の罫線の状態を図１５の（ｂ）に示す。
【００６０】
その後、比較例１と同様の実験を行った。実験結果を図１６に示す。
【００６１】
（実施例２）
実施例２として、段ボールシートを５枚用意し、各段ボールシートに比較例１と同じ直線状罫線及び分岐罫線を形成し、面取り部形成領域に折曲用切込みを入れた。折曲用切込みは、破線状とした。直線状罫線と折曲用切込みとの離間距離を５０ｍｍとし、端部と折曲用切込みとの離間距離を２５ｍｍとした。分岐罫線（分岐折線）の全長に対する折曲用切込みの長さの割合は６８％であり、中央部の全長に対する折曲用切込みの長さの割合は８１％であった。実施例２の罫線の状態を図１５の（ｃ）に示す。
【００６２】
その後、比較例１と同様の実験を行った。実験結果を図１６に示す。
【００６３】
（実施例３）
実施例３として、段ボールシートを５枚用意し、各段ボールシートに比較例１と同じ直線状罫線及び分岐罫線を形成し、面取り部形成領域に折曲用切込みを入れた。折曲用切込みは、破線状とした。直線状罫線と折曲用切込みとの離間距離を７５ｍｍとし、端部と折曲用切込みとの離間距離を５０ｍｍとした。分岐罫線（分岐折線）の全長に対する折曲用切込みの長さの割合は５１％であり、中央部の全長に対する折曲用切込みの長さの割合は６１％であった。実施例３の罫線の状態を図１５の（ｄ）に示す。
【００６４】
その後、比較例１と同様の実験を行った。実験結果を図１６に示す。
【００６５】
（実施例４）
実施例４として、段ボールシートを５枚用意し、各段ボールシートに比較例１と同じ直線状罫線及び分岐罫線を形成し、面取り部形成領域に折曲用切込みを入れた。折曲用切込みは、破線状とした。直線状罫線と折曲用切込みとの離間距離を１００ｍｍとし、端部と折曲用切込みとの離間距離を７５ｍｍとした。分岐罫線（分岐折線）の全長に対する折曲用切込みの長さの割合は３５％であり、中央部の全長に対する折曲用切込みの長さの割合は４２％であった。実施例４の罫線の状態を図１５の（ｅ）に示す。
【００６６】
その後、比較例１と同様の実験を行った。実験結果を図１６に示す。
【００６７】
成型工程の実験結果を見ると、実施例１〜４の全てにおいて折曲用切込みが折れ曲がらないことが確認された。折畳工程の実験結果を見ると、比較例１は面取り部を折り畳むことができなかったが、実施例１〜４は面取り部を折り畳むことができた。この結果から、面取り部に折曲用切込みを入れることで、容易に面取り部を折り畳むことができることが分かった。また、実施例１〜３は、実施例４よりも容易に面取り部を折り畳むことができることが分かった。
【符号の説明】
【００６８】
１…包装用箱、２１…直線状折線、３１…直線状折線、３２…分岐折線、３３…面取り部、３４…折曲用切込み、Ａ…平面部、Ａ１…天面部、Ａ２…底面部、Ａ３…長手側面部、Ａ４…長手側面部、Ａ５…短手側面部、Ａ６…短手側面部、Ｂ…頂部、Ｂ１〜Ｂ８…頂部、Ｃ…角部、Ｃ１〜Ｃ１２…角部、１０１…段ボールシート、１０１ａ…表ライナー、１０１ｂ…裏ライナー、１０１ｃ…中芯、１２１…直線状罫線、１３１…直線状罫線、１３２…分岐罫線、１３３…面取り部形成領域、Ｄ…平面部、Ｄ１…天面部、Ｄ２…底面部、Ｄ２…天面部、Ｄ３…長手側面部、Ｄ４…長手側面部、Ｄ５ａ〜Ｄ５ｄ…短手側面部フラップ、Ｄ６ａ〜Ｄ６ｄ…短手側面部フラップ、Ｄ７…接合部、Ｅ…罫線、Ｅ１〜Ｅ１２…罫線。
【図１】
0005894000.tif 000002
【図２】
0005894000.tif 000003
【図３】
0005894000.tif 000004
【図４】
0005894000.tif 000005
【図５】
0005894000.tif 000006
【図６】
0005894000.tif 000007
【図７】
0005894000.tif 000008
【図８】
0005894000.tif 000009
【図９】
0005894000.tif 000010
【図１０】
0005894000.tif 000011
【図１１】
0005894000.tif 000012
【図１２】
0005894000.tif 000013
【図１３】
0005894000.tif 000014
【図１４】
0005894000.tif 000015
【図１５】
0005894000.tif 000016
【図１６】
0005894000.tif 000017